(57)【特許請求の範囲】
【請求項１】
モアデッキ（１３）内に回転する３枚の刈刃（１６）の外周を夫々円弧状のガイド体（１７）で被覆するマルチングモアにおいて、中央のガイド体（１７ａ）は左右のガイド体（１７ｂ）よりも前方に突出し、隣接する部位には仕切壁となる縦壁（２０）が設けられ、該縦壁（２０）はモアデッキ（１３）の天井の高さより低く形成してモアデッキ（１３）の天井と縦壁との間に空間部（２１）を形成することにより隣接するガイド体（１７ａ,１７ｂ）同士を刈草が通過し得るように接続して設け、前記ガイド体（１７）の隣接する部位を斜めに切欠いて三角状の板（２３）を固着し、前記中央のガイド体（１７ａ）後側と左右のガイド体（１７ａ,１７ｂ）下部の上下方向長さを短くすることにより前記ガイド体（１７）の下部に円周方向に沿って切欠部（ｓ）を形成したことを特徴とするマルチングモア。
【発明の詳細な説明】
【０００１】
【発明の属する技術分野】
この発明は、芝等を細かく裁断するマルチングモアに関する。
【０００２】
【従来技術】
従来、マルチングモアは刈刃の外周を円筒型のガイドで被覆しているものが一般的である。又、マルチングモアのガイド内に複数個の突起体を設け刈刃が回転する際にこの突起体に芝を当てて芝を細かく裁断するものが知られている。
【０００３】
【発明が解決しようとする課題】
ところで、係る従来装置にあっては、細かく裁断した芝の排出が円滑に行われず、刈り取った芝がモアデッキ内で団子状に固まったり、筋状に零れ落ちて刈り跡の見栄えを悪くするという欠点があった。
【０００４】
【課題を解決するための技術手段】
この発明は前記した問題点に鑑みて提案するものであり、ガイド内で短く刈った芝がモアデッキ内において一箇所に固まってこれが団子状に落下し、刈跡の見栄えを悪くすることがないようにしたマルチングモアを提供せんとするものである。
【０００５】
このため、この発明は次のような技術的手段を講じた。即ち、モアデッキ（１３）内に回転する３枚の刈刃（１６）の外周を夫々円弧状のガイド体（１７）で被覆するマルチングモアにおいて、中央のガイド体（１７ａ）は左右のガイド体（１７ｂ）よりも前方に突出し、隣接する部位には仕切壁となる縦壁（２０）が設けられ、該縦壁（２０）はモアデッキ（１３）の天井の高さより低く形成してモアデッキ（１３）の天井と縦壁との間に空間部（２１）を形成することにより隣接するガイド体（１７ａ,１７ｂ）同士を刈草が通過し得るように接続して設け、前記ガイド体（１７）の隣接する部位を斜めに切欠いて三角状の板（２３）を固着し、前記中央のガイド体（１７ａ）後側と左右のガイド体（１７ａ,１７ｂ）下部の上下方向長さを短くすることにより前記ガイド体（１７）の下部に円周方向に沿って切欠部（ｓ）を形成したことを特徴とするマルチングモアの構成とする。
【０００６】
【発明の実施の形態】
以下、図面に基づきこの発明の実施例を説明する。まず、構成から説明すると、１は動力車両としての一例を示すトラクタで前輪２、２と後輪３、３を備え、機体前部に搭載したエンジン５の回転動力をミッションケ−ス６内の変速装置（図示省略）を介して適宜減速し、これを前輪２、２と後輪３、３とに伝えるように構成している。
【０００７】
前記ミッションケ−ス６には油圧式の無段変速装置が備えられ、フロア７の右側に設けた前後進ペダル（図示省略）を踏み込むことにより機体が前進あるいは後進する。ミッションケ−ス６の後部にはリヤＰＴＯ軸９が突設され、中央下部には前方へ向けてミッドＰＴＯ軸１０が突設されている。
【０００８】
機体下部にはリンク機構１２を介してモアデッキ１３が昇降自在に取り付けられている。そして、座席右側の油圧操作レバ−（図示省略）を前後方向に操作することによりモアデッキ１３が上下に移動して刈り高さを調節する。モアデッキ１３内には図２に示すように３枚の刈刃１６が横方向に所定間隔をあけて回転自在に軸支されており、前記のミッドＰＴＯ軸１０から回転動力を得て刈刃１６が回転するようにしている。
【０００９】
そして、これらの刈刃１６は円筒状のガイド体１７で被覆されている。刈刃１６は長い下部ブレ−ド１６ａと短い上部ブレ−ド１６ｂを十字状に交叉させて設けたもので、下部ブレ−ド１６ａの前縁には刃部（イ）を設けると共にその外側部には立上状の起風部１６ｃを設け、一方、上部ブレ−ド１６ｂの前縁にも刃部（ロ）を設け、その外側には刈り取った草をたたき落すためのたたき落とし部１６ｄを設けている。
【００１０】
図３、図４はガイド体１７の斜視図を示すものである。図３、図４に示すように中央のガイド体１７ａは左右のガイド体１７ｂよりも前方に突出しており、隣接する部位には仕切壁となる縦壁２０が設けられている。縦壁２０はモアデッキ１３の天井の高さより低く、モアデッキ１３の天井と縦壁２０との間には僅かの空間部２１が存在する。この空間部２１を介して隣接する部位のガイド体１７内の刈草が行き来する。
【００１１】
なお、この実施例ではガイド体１７の隣接する部位を斜めに切欠いて三角状の板２３を溶接等により固着する形態としている。このように隣接部に板２３を固着することによって移動中の刈草がガイド体１７ａ、１７ｂの隅部に引っ掛ったりしないようにしている。また、ガイド体１７の上下方向の長さは一定ではなく、図４に示すように中央のガイド体１７ａ後側と左右のガイド体１７ｂ下部の上下方向の長さが僅かに短くなるようにしている。従って、個々のガイド体１７内で刈り取られた芝や草の量が多くなるとこの隙間ｓを介して細かい刈り草等は後方へ放出されることになる。
【００１２】
なお、後側中央部及びその両側部だけでなく前側中央部及びその両側部も僅かに隙間をあけるとマルチング作業時におけるガイド体１７内での草の行き来が良好となって刈草が団子状に固まって落ちることがなく刈り跡が美麗となる。また、マルチング作業での草のこぼれを少なくするためにこの実施例の装置には次のような工夫が施されている。
【００１３】
即ち、図６に示すようにガイド体１７を包み込むモアデッキ１３は刈刃１６下端部から９０ｍｍ以上（図中符号Ａ）の空間部が設けてあり、モアデッキ１３の下端部から刈刃１６の下端までの距離は約１０ｍｍ程度（図中符号Ｂ）である。平面から見たときの刈刃１６のオ−バ−ラップ代は草の雫れにも影響を及ぼすものであり、ここで説明した装置においては約３０ｍｍに設定している。更に刈刃１６の周速は７６ｍ／ｓｅｃにしている。
【００１４】
上例において芝や草の刈取作業を行なう場合には、まずゲ−ジ輪２５を上下調節して刈り高さを設定し、エンジン５を回転させてミッドＰＴＯ軸１０を回転駆動させる。すると３枚の刈刃１６が回転を始め、芝や草を刈り取る。長さの長い下部ブレ−ド１６ａで切断された芝や草は一度持ち上げられた後、下部ブレ−ト１６ａと一体的に回っている上部ブレ−ド１６ｂによって更に細かく裁断されると共に今度は下向きに放出されガイド体１７下部に落下させられる。
【００１５】
個々のガイド体１７内で細かく刈り取られた芝や草はガイド体１７下方の切欠部ｓから順次後方へ放てきされることになり、あるいは一部は前記縦壁２０上部の空間部２１を介して隣りのガイド体１７内に入り込む。このようにこの実施例ではガイド体１７の下部後方を円周方向に沿って切り欠いてこの切欠部ｓから裁断された芝や草を放出する構成としたので、ガイド体１７内で刈り取った芝や草が多量に詰まることがなく、マルチング作業が中断されることなく作業を良好に行なうことができる。
【００１６】
【発明の効果】
この発明は前記の如く、モアデッキ（１３）内に回転する３枚の刈刃（１６）の外周を夫々円弧状のガイド体（１７）で被覆するマルチングモアにおいて、
中央のガイド体（１７ａ）は左右のガイド体（１７ｂ）よりも前方に突出し、
隣接する部位には仕切壁となる縦壁（２０）が設けられ、該縦壁（２０）はモアデッキ（１３）の天井の高さより低く形成してモアデッキ（１３）の天井と縦壁との間に空間部（２１）を形成することにより隣接するガイド体（１７ａ,１７ｂ）同士を刈草が通過し得るように接続して設け、前記ガイド体（１７）の隣接する部位を斜めに切欠いて三角状の板（２３）を固着したものであるから、移動中の刈草がガイド体（１７ａ，１７ｂ）の隅部に引っかかったりしない。
また、前記中央のガイド体（１７ａ）後側と左右のガイド体（１７ａ,１７ｂ）下部の上下方向長さを短くすることにより前記ガイド体（１７）の下部に円周方向に沿って切欠部（ｓ）を形成したから、個々のガイド体（１７）内で刈り取られた芝草の量が多くなるとこの切欠部（ｓ）を介して細かい刈草等は後方へ排出される。したがって、刈った芝や草がモアデッキ内に詰まって作業を中断したり刈り跡が筋状になったりすることがなくマルチング作業を極めて良好に行なうことができるものである。
【図面の簡単な説明】
【図１】全体側面図である。
【図２】要部の平面図である。
【図３】ガイド体全体の斜視図である。
【図４】ガイド体の斜視図である。
【図５】ブレ−ドの斜視図である。
【図６】要部の側断面図である。
【符号の説明】
１ トラクタ
２ 前輪
３ 後輪
５ エンジン
６ ミッションケ−ス
９ リヤＰＴＯ軸
１０ ミッドＰＴＯ軸
１３ モアデッキ
１６ 刈刃
１７ ガイド体
２１ 空間部
３７ リヤカバー
【図１】
0003975561.tif 000002
【図２】
0003975561.tif 000003
【図３】
0003975561.tif 000004
【図４】
0003975561.tif 000005
【図５】
0003975561.tif 000006
【図６】
0003975561.tif 000007